【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
赤外線カメラ（ＩＲ）（１４０）データの送信のための方法であって、
ガスタービンに関連づけられているサイトで、前記ガスタービンに関連するＩＲカメラ（１４０）からのＩＲデータを受信するステップと、
前記ＩＲデータに基づいて、前記ガスタービンに関連づけられた動作温度を示す温度情報を特定するステップと、
前記特定に基づいて、確保処理領域において処理すべき機密情報に分類するステップであって、前記確保処理領域が、前記ガスタービンに関連づけられている前記サイトから離れた位置にある、前記ステップと、
前記分類に基づいて、前記ＩＲデータから機密情報を抽出して抽出された機密ＩＲデータを得るステップと、
前記ＩＲデータの抽出されなかったデータを非機密ＩＲデータとして分類するステップと、
前記非機密ＩＲデータに少なくとも部分的に基づいて画像（３１０）を生成するステップと、
前記ガスタービンに関連するサイトに、ユーザインターフェイス（３０２）を介して、前記画像（３１０）を提供するステップと、
暗号化済み機密ＩＲデータを作り出すように、前記抽出された機密ＩＲデータを暗号化するステップであって、前記抽出された機密ＩＲデータを暗号化することは、前記熱情報における温度勾配を決定するためのスケールを暗号化することを含む、前記ステップと、
前記暗号化済み機密ＩＲデータおよび前記非機密ＩＲデータを処理センタ（１７０）に送信するステップと、を含む方法。
【請求項２】
前記ガスタービンの外部カバー（２０５）に前記赤外線カメラ（１４０）を設置するステップと、前記ガスタービンの内部にＩＲカメラレンズ（２２５）を取り付けるステップとを、さらに含み、前記ＩＲカメラ（１４０）は、光ファイバ（２２０）構成部品を介して前記ＩＲカメラ（１４０）に接続されている、請求項１に記載の方法。
【請求項３】
前記画像（３１０）を前記生成するステップは、熱のレベルに対応する輝度を有する画素を生成するステップを含む、請求項１または２に記載の方法。
【請求項４】
前記スケールおよび前記非機密ＩＲデータに少なくとも部分的に基づいて、前記画像（３１０）の強調済みビューを作成することを、さらに含む、請求項１乃至３のいずれかに記載の方法。
【請求項５】
前記ガスタービンに関連する１つまたは複数のセンサから受信されるさらなるデータに少なくとも部分的に基づいて、追加計算を実行することと、
前記追加計算に少なくとも部分的に基づいて、前記ガスタービンの保守予定を予測することとを、さらに含む、請求項４に記載の方法。
【請求項６】
前記ガスタービンに関連する正常性分析を視覚化するように、前記画像（３１０）の前記強調済みビューを表示することをさらに含む、請求項４に記載の方法。
【請求項７】
前記ＩＲデータを前記分類することは、各ファイル（５１４）がタービンバケットに関連する所定数の画像（３１０）を含む一組のファイル（５１４）を作成することを含む、請求項１乃至６のいずれかに記載の方法。
【請求項８】
赤外線カメラ（ＩＲ）（１４０）データの送信のためのシステム（１５０）であって、
前記ＩＲデータを取得するように、ガスタービンに関連するＩＲカメラ（１４０）と、
前記ガスタービンに関連するサイトに設置されており、かつ前記ＩＲカメラ（１４０）と通信可能に結合されているＩＲカメラサーバ（５１０）であって、前記ＩＲカメラデータ取得サーバ（５１０）は、
前記ＩＲカメラ（１４０）から前記ＩＲデータを受信するように、
前記ＩＲデータに基づいて、前記ガスタービンに関連づけられた動作温度を示す温度情報を特定するように、
前記特定に基づいて、前記ガスタービンに関連づけられている前記サイトから離れた位置にある確保処理領域において処理すべき機密情報に分類するように、
前記分類に基づいて、前記ＩＲデータから機密情報を抽出して抽出された機密ＩＲデータを得るように、
前記ＩＲデータの抽出されなかったデータを非機密ＩＲデータに分類するように、
前記非機密ＩＲデータに少なくとも部分的に基づいて、画像（３１０）を生成するように、
前記ガスタービンに関連する前記サイトに、ユーザインターフェイス（３０２）を介して、前記画像（３１０）を提供するように、
暗号化済み機密ＩＲデータを作り出すように前記抽出された機密ＩＲデータを暗号化するように、かつ、
処理センタ（１７０）に前記暗号化済み機密ＩＲデータおよび前記非機密ＩＲデータを送信するように、構成されているＩＲカメラサーバ（５１０）と、
を備え、
前記抽出された機密ＩＲデータを暗号化することは、前記熱情報における温度勾配を決定するためのスケールを暗号化することを含む、
システム（１５０）。
【請求項９】
前記ＩＲカメラ（１４０）は、前記ガスタービンの外部カバーに設置されており、ＩＲカメラレンズ（２２５）は、前記ガスタービンの内部に設置されており、前記ＩＲカメラ（１４０）は、光ファイバ（２２０）構成部品を介して前記ＩＲカメラレンズ（２２５）に接続されている、請求項８に記載のシステム（１５０）。
【請求項１０】
前記画像（３１０）は、熱のレベルに対応する輝度を有する画素を含む、請求項８または９に記載のシステム（１５０）。
【請求項１１】
前記処理センタ（１７０）は、前記スケールおよび前記非機密ＩＲデータに少なくとも部分的に基づいて、前記画像（３１０）の強調済みビューを作成するように動作可能である、請求項８乃至１０のいずれかに記載のシステム（１５０）。
【請求項１２】
前記処理センタ（１７０）は、前記ガスタービンに関連する１つまたは複数のセンサから受信されるさらなるデータに少なくとも部分的に基づいて追加計算を実行するように、かつ、前記追加計算に基づいて、前記ガスタービンの保守予定を予測するように、動作可能であり、
前記処理センタ（１７０）は、前記ガスタービンに関連する正常性分析を視覚化するために、前記画像（３１０）の強調済みビューを表示するように動作可能であり、
前記ＩＲデータを分類することは、各ファイル（５１４）がタービンバケットに関連する所定数の画像（３１０）を含む一組のファイル（５１４）を作成することを含む、請求項１１に記載のシステム（１５０）。
【請求項１３】
前記ＩＲデータは、所定の間隔で取得される、請求項８乃至１２のいずれかに記載のシステム（１５０）。
【請求項１４】
赤外線カメラ（ＩＲ）（１４０）データの送信のためのシステム（１５０）であって、
前記ＩＲデータを取得するように、ガスタービンに関連するＩＲカメラ（１４０）と、
前記ガスタービンに関連しかつ前記ＩＲカメラ（１４０）と通信可能に結合されているサイトに設置されているＩＲカメラサーバ（５１０）であって、前記ＩＲカメラデータ取得サーバ（５１０）は、
前記ＩＲカメラ（１４０）から前記ＩＲデータを受信するように、
前記ＩＲデータに基づいて、前記ガスタービンに関連づけられた動作温度を示す温度情報を特定するように、
前記温度情報に基づいて、前記ガスタービンに関連づけられている前記サイトから離れた位置にある確保処理領域において処理すべき機密情報に分類するように、
前記機密情報に基づいて、前記ＩＲデータから機密情報を抽出して抽出された機密ＩＲデータを得るように、
前記ＩＲデータの抽出されなかったデータを非機密ＩＲデータに分類するように、
前記非機密ＩＲデータに少なくとも部分的に基づいて画像（３１０）を生成するように、
前記ガスタービンに関連する前記サイトに、ユーザインターフェイス（３０２）を介して、前記画像（３１０）を提供するように、
暗号化済み機密ＩＲデータを作り出すように前記抽出された機密ＩＲデータを暗号化するように、構成されているＩＲカメラサーバ（５１０）と、
処理センタ（１７０）であって、
前記暗号化済み機密ＩＲデータと、前記機密ＩＲデータであって、前記機密ＩＲデータは、前記ガスタービンに関連する動作温度を表す熱情報と、前記熱情報において温度勾配を決定するためのスケールと、を含む前記機密ＩＲデータとを、受信するように、
前記スケールおよび前記暗号化済み機密ＩＲデータに少なくとも部分的に基づいて、前記画像（３１０）の強調済みビューを作成するように、構成され、前記抽出された機密ＩＲデータを暗号化することは、前記熱情報における温度勾配を決定するためのスケールを暗号化することを含む、処理センタ（１７０）と、
を備えるシステム（１５０）。